(57)【要約】【課題】低コストで効率的に光ケーブルを布設できる。【解決手段】光ケーブル牽引機１は、光ケーブル７を挟んで搬送する一対のボールローラ８，８と、一対のボールローラ８，８に回転力を伝達する動力伝達機構１０を備えた牽引機構５とを備えた。動力伝達機構１０には専用アタッチメント２４を取り付けてあり、外部機器である電気ドリル２３の回転歯２３ａを専用アタッチメント２４に装着した。電気ドリル２３の回転力を動力伝達機構１０に伝達し、駆動軸９ａ，９ｂを介して一対のボールローラ８，８を回転させて光ケーブル７を挟持して牽引する。【選択図】図２
2014193097.tif 000002
【特許請求の範囲】
【請求項１】
ケーブルを挟んで搬送する一対のボールローラと、該一対のボールローラに回転力を伝達する動力伝達機構とを備えており、外部機器の電動回転手段を駆動源として前記動力伝達機構に取り付けて回転力を伝達するようにしたことを特徴とするケーブル牽引機。
【請求項２】
前記ケーブルの搬送方向における前記一対のボールローラの前後またはその一方に、前記ケーブルの走行をガイドするガイド部を備えた請求項１に記載されたケーブル牽引機。
【請求項３】
前記ガイド部は、回転可能な複数のガイド筒で囲まれて構成されている請求項２に記載されたケーブル牽引機。
【請求項４】
前記電動回転手段は電気ドリルである請求項１から３のいずれか１項に記載されたケーブル牽引機。
【請求項５】
前記ケーブルは自己支持型光ケーブルまたは丸型光ケーブルである請求項１から４のいずれか１項に記載されたケーブル牽引機。
【発明の詳細な説明】
【技術分野】
【０００１】
本発明は、例えばルーラルエリア等において架空光ケーブル等の各種ケーブルを布設するためのケーブル牽引機に関する。
【背景技術】
【０００２】
従来、電柱間に架空光ケーブルを架設する場合、ルーラルエリア（過疎地域や田舎地域）では建物が少なく且つ互いの建物間の距離が離れており、しかも光通信の発信施設からの距離が長くなるため、長い距離に亘って光ケーブルを架設する必要があった。このようなルーラルエリアにおいて、長い距離に亘って光ケーブル配線を作業員の手作業で架設することは手間がかかり効率が悪かった。
そのため、光ケーブルをより効率的に牽引して布設する光ケーブル牽引機として、例えば特許文献１に記載されたものが知られている。
特許文献１に記載された牽引ロープ巻き取り装置では、地中の管路内や地上に立設した電柱等の支柱に牽引ロープを配設するとともにこの牽引ロープの一端側に光ケーブルを接続して、牽引ロープを他端側から牽引ロープ巻き取り装置の巻き取りプーリで巻き取ることで光ケーブルを管路内や支柱間に牽引させて布設している。
【０００３】
この牽引ロープ巻き取り装置では、１つのボックスに牽引ロープを巻回する巻き取りプーリとその駆動源である駆動モータと制御部を設置し、制御部によって駆動モータを駆動することで巻取りプーリを回転させて牽引ロープを巻き取っている。
【先行技術文献】
【特許文献】
【０００４】
【特許文献１】特開２００１−２８６０１９号公報
【発明の概要】
【発明が解決しようとする課題】
【０００５】
ところで、上述した牽引ロープ巻き取り装置をルーラルエリアで用いると、光通信の発信施設からの距離が長く、例えば地方都市の２〜３倍の長距離に亘って光ケーブルを架設する必要があり、架設効率と採算性が悪かった。しかも、このような長い距離を、上述したような牽引ロープ巻き取り装置を地中の管路内や電柱間で移設しながら順次光ケーブルを布設する場合、牽引ロープ巻き取り装置は、巻き取りプーリ以外に重量の大きな駆動モータや制御部等を備えているため、重量の大きい牽引ロープ巻き取り装置の移動と取り付けを繰り返して光ケーブルを布設することは布設効率が悪くコスト高になるという欠点があった。
【０００６】
本発明は、このような課題に鑑み、低コストで効率的にケーブルを布設できるようにしたケーブル牽引機を提供することを目的とする。
【課題を解決するための手段】
【０００７】
本発明によるケーブル牽引機は、ケーブルを挟んで搬送する一対のボールローラと、該一対のボールローラに回転力を伝達する動力伝達機構とを備えており、外部機器の電動回転手段を駆動源として動力伝達機構に取り付けて回転力を伝達するようにしたことを特徴とする。
本発明によれば、外部機器である電動回転手段を動力伝達手段の駆動源としてケーブル牽引機に取り付け、電動回転手段の回転力を動力伝達手段に伝達して一対のボールローラを回転させてケーブルを挟んで牽引し搬送することができる。しかも、ケーブル牽引機は、内部に駆動源を取り付けておらず、軽量で小型であり、牽引の際に外部機器である電動回転手段を装着してその回転力を動力伝達機構に伝達することができるため、効率的にケーブル牽引機の移動と設置を行うことができて、ケーブルの効率的な長距離布設を行える。
【０００８】
また、ケーブルの搬送方向における一対のボールローラの前後またはその一方に、ケーブルの走行をガイドするガイド部を備えることが好ましい。
一対のボールローラの前後またはいずれか一方にガイド部を設けてケーブルの搬送をガイドするため、一対のボールローラが球面でもケーブルを挟持できて逆回りに回転するため、確実にケーブルを牽引することができる。
【０００９】
また、ガイド部は、回転可能な複数のガイド筒で囲まれて構成されていてもよい。
牽引されるケーブルがガイド部内のガイド筒に当接してもガイド筒を相対回転させてスムーズに走行させることができる。
【００１０】
また、電動回転手段は電気ドリルであってもよい。
電気ドリルの回転歯をケーブル牽引機の動力伝達機構に専用アタッチメントを介して連結して回転力を伝達させることができ、ケーブル牽引機の内部に駆動モータ等の駆動源を設ける必要がない。
【００１１】
また、ケーブルは自己支持型光ケーブルまたは丸型光ケーブルであってもよい。
自己支持型光ケーブルまたは丸型光ケーブルのいずれのケーブルであっても、ケーブル牽引機の一対のボールローラによって挟持して確実に牽引搬送できる。
【発明の効果】
【００１２】
本発明によるケーブル牽引機は、ケーブルを牽引しケーブルを架設するための一対のボールローラを回転駆動する駆動源として駆動モータを設置せず、電動ドリル等の外部の電動回転手段を駆動源として装着可能にした。また、駆動モータを内蔵しないために軽量で移動や設置等が容易であり、低コストである。そのため、ルーラルエリア等に用いるのに好適で移動と取り付けが容易にできて布設効率が高い。
【図面の簡単な説明】
【００１３】
【図１】本発明の実施形態による光ケーブル牽引機を示す要部斜視図である。
【図２】図１に示す光ケーブル牽引機の駆動源として電気ドリルを用いた駆動機構の説明図である。
【図３】一対のボールローラ間に自己支持型光ケーブルを挟んだ状態を示す拡大断面図である。
【図４】光ケーブルを牽引するボールローラとガイド部とを示す平面図である。
【図５】ガイド部の正面図である。
【図６】光ケーブルの変形例を示す図３と同様な図である。
【図７】ガイド部の変形例を示す図である。
【発明を実施するための形態】
【００１４】
以下、本発明の実施形態による光ケーブル牽引機について図１から図５に基づいて説明する。なお、本明細書において、光ケーブル牽引機１の光ケーブル７の搬送方向においてその前側を前方、後側を後方というものとする。
図１及び図２において、本実施形態による光ケーブル牽引機１は、例えば架空光ケーブルを牽引する場合、布設予定の電柱２に光ケーブル牽引機１の取付具３を固定している。この取付具３は、電柱２に取り付けたチェーン等の取付治具３ａ、３ｂと、これら取付治具３ａ，３ｂを連結する支持治具３ｃと、支持治具３ｃの上下に連結された支持具４ａ、４ｂとを備えている。支持具４ａの上に光ケーブル７を牽引するための牽引機構５が取り付けられている。
牽引機構５の上部には、光ケーブル７を挟んで牽引するための略球体からなる一対のボールローラ８，８が設置され、牽引機構５に設けた駆動軸９ａ，９ｂによって各ボールローラ８，８が逆方向に水平回転させられる。
【００１５】
また、光ケーブル７は適宜の種類のものを採用できるが、本実施形態では自己支持型光ケーブル７を用いている。この自己支持型光ケーブル７は、図３に示すように、比較的大径の丸型光ケーブル１２と比較的小径の支持軸１３とが連結具１４を介して連結された断面略瓢箪型に形成されている。そして、光ケーブル７は連結具１４の部分で両側のボールローラ８，８の球面によって支持され、光ケーブル７をボールローラ８，８で把持しつつ回転方向に送り出す。
なお、ボールローラ８，８で自己支持型光ケーブル７を挟む場合、挟持部において、丸型光ケーブル１２が上側であっても支持軸１３が上側であってもかまわない。或いは丸型光ケーブル１２と支持軸１３とを水平方向に配設してそれぞれをボールローラ８，８で押圧するようにしてもよい。
【００１６】
また、図１及び図４に示すように、牽引機構５に設けたボールローラ８，８における光ケーブル７の搬送方向の前後位置には、光ケーブル７の搬送方向をボールローラ８，８の挟持位置から外れないようにガイドするガイド部１６、１６がそれぞれ設置されている。
ガイド部１６は、図５に示すように、略四角形の棒状に形成された例えば金属の軸部１７と、その四辺にそれぞれ回転可能に設けられた筒状のガイド筒１８とを備えている。光ケーブル７はガイド部１６内の四辺のガイド筒１８で囲われた内部を貫通して走行することで確実に一対のボールローラ８，８に挟持されるようガイドされる。
【００１７】
図２において、牽引機構５に設けたボールローラ８の動力伝達機構１０について説明する。
動力伝達機構１０は、駆動源から回転を伝達される回転軸２０と減速機構２１を介して一方の駆動軸９ａに回転を伝達する構成を有しており、更に動力伝達機構１０は一方の駆動軸９ａから歯車等の回転伝達手段２２を介して他方の駆動軸９ｂに回転力を伝達している。この動力伝達機構１０によって一対のボールローラ８，８は同期して正逆反対方向に回転して、挟持した光ケーブル７を引っ張って前方に搬送する。
しかも、一方の駆動軸９ａによって回転させられるボールローラ８が最大加圧面として光ケーブル７を押圧し、他方の駆動軸９ｂによって回転させられるボールローラ８が最小加圧面として光ケーブル７を受けることで挟持する。
【００１８】
また、図１及び図２において、動力伝達機構１０の駆動源は牽引機構５内に設けられておらず、外部の駆動源を備えた電気工具、例えば電気ドリル２３を用いるものとする。動力伝達機構１０には、電気ドリル２３を装着した際、電気ドリル２３の回転歯２３ａの回転力の伝達を受ける専用アタッチメント２４が設置され、この専用アタッチメント２４で受けた回転力を上述した回転軸２０に伝達するように構成されている。
電気ドリル２３は先端に高速回転可能な回転歯２３ａを備えたドリル本体２５と、ドリル本体２５から延びる電源コード２６に接続された電源である発電機２７とを備えている。
【００１９】
本実施形態による光ケーブル牽引機１は上述の構成を備えており、次にその施工方法を説明する。
まず、光ケーブル未施工の電柱２に光ケーブル牽引機１の取付具３を取り付け固定し、この取付具３において電柱２に直交する水平方向に延びる支持具４ａの上に牽引機構５が設置されている。そして、後方の電柱２に既に設置した光ケーブル７の先端を、手動によって、牽引機構５の後方に位置するガイド部１６を通して一対のボールローラ８，８間に挟持させ、更に前方のガイド部１６を通す。
【００２０】
そして、牽引機構５の動力伝達機構１０に設置した専用アタッチメント２４に電気ドリル２３の回転歯２３ａを結合させる。そして、発電機２７で発電させた電気を通電させて、電気ドリル２３を駆動する。すると、電気ドリル２３の回転歯２３ａが高速回転し、専用アタッチメント２４から動力伝達機構１０の回転軸２０に回転力が伝達され、更に減速機構２１を介して一方の駆動軸９ａを回転させ、一方のボールローラ８を回転する。一方の駆動軸９ａで回転するボールローラ８の球面は最大加圧面として光ケーブル７を最小加圧面である他方のボールローラ８に押し付ける。一方の駆動軸９ａの回転に同期して他方の駆動軸９ｂを介して他方のボールローラ８を逆方向に回転させて、光ケーブル７を前方に牽引して搬送する。
これによって、互いに逆方向に回転する一対のボールローラ８，８によって挟持された光ケーブル７が牽引されて前方に繰り出される。そして、後方の電柱２と光ケーブル牽引機１を設置した前方の電柱２との間で光ケーブル７が緊張状態に架設される。
このような作業を繰り返して行うことで光ケーブル７を順次牽引して引き延ばし、ルーラルエリアに架設できる。
【００２１】
上述のように、本実施形態による光ケーブル牽引機１は、一対のボールローラ８，８の駆動源を内蔵せず、工事業者等が所有する別の電気工具である電気ドリル２３を駆動源として用いたため、牽引機構５の専用アタッチメント２４に電気ドリル２３を装着して回転駆動でき、地中の管路内や地上の電柱２間において、ルーラルエリア等の長距離に亘る光ケーブル７の牽引と布設を効率的に行うことができる。
しかも、光ケーブル牽引機１の運搬や設置等において、一対のボールローラ８、８を備えた牽引機構５に設けた動力伝達機構１０と駆動源である電気ドリル２３とを分割して個別に運搬して設置できるため、光ケーブル牽引機１が小型軽量となり運搬や設置が容易である。
【００２２】
なお、本発明による光ケーブル牽引機１は上述の実施形態に限定されるものではなく、本発明の要旨を変更しない限り適宜の変更や置換等を採用することができる。
例えば、上述した光ケーブル牽引機１では、光ケーブル７を一対のボールローラ８，８で直接挟持して牽引搬送するようにしたが、光ケーブル７の先端に上述の従来技術で述べた牽引ロープを連結し、この牽引ロープを光ケーブル牽引機１の一対のボールローラ８，８で牽引搬送することで、光ケーブル７を一対のボールローラ８，８で牽引して電柱２間や地中の管路内に架設するようにしてもよい。
【００２３】
また、上述した実施形態では、光ケーブル７として自己支持型光ケーブルを用いたが、これに代えて図６に示すように丸型光ケーブルを用いてもよく、その他、牽引搬送する光ケーブル７については適宜のものを採用できる。また、本発明は光ケーブル７の牽引だけでなく、電線ケーブル等、適宜のケーブルの牽引搬送に採用できることはいうまでもない。
【００２４】
また、本実施形態によるガイド部１６において、四角形状の軸部１７の四辺にガイド筒１８をそれぞれ配設して構成したが、図７に示すように、軸部１７を略三角形状に形成してその三辺にガイド筒１８をそれぞれ配設して構成してもよい。しかも、ガイド部１６は牽引機構５に設けたボールローラ８，８の前後位置にそれぞれ設けたが、これに代えて前後のいずれか一方に設けてもよく、この場合、好ましくは後方に設置して一対のボールローラ８，８間に導くとよい。
なお、本発明の実施形態において、電動回転手段として電気ドリル２３を用いたが、本発明では電気ドリル２３に限定されるものではなく、その他の電気工具等、適宜の電動回転工具や回転機器等の回転手段を採用できる。
【符号の説明】
【００２５】
１  光ケーブル牽引機
２  電柱
３  取付具
５  牽引機構
７  光ケーブル
８  ボールローラ
９ａ、９ｂ  駆動軸
１０  動力伝達機構
１６  ガイド部
１７  軸部
１８  ガイド筒
２０  回転軸
２３  電気ドリル
２３ａ  回転歯
２４  専用アタッチメント
２７  発電機
【図１】
2014193097.tif 000003
【図２】
2014193097.tif 000004
【図３】
2014193097.tif 000005
【図４】
2014193097.tif 000006
【図５】
2014193097.tif 000007
【図６】
2014193097.tif 000008
【図７】
2014193097.tif 000009